【手続補正書】
【提出日】平成19年11月15日(2007.11.15)
【手続補正１】
【補正対象書類名】明細書
【補正対象項目名】発明の名称
【補正方法】変更
【補正の内容】
【発明の名称】電気泳動表示装置
【手続補正２】
【補正対象書類名】明細書
【補正対象項目名】特許請求の範囲
【補正方法】変更
【補正の内容】
【特許請求の範囲】
【請求項１】  互いに対向配置する一対の基板である第１基板及び第２基板と、透明絶縁性液体と複数の電気泳動粒子とを含み前記一対の基板間に挟持される分散系と、前記第１基板及び第２基板の上に設けられ、電圧を印加して前記分散系中に電界を形成するための電極群と、を少なくとも備えた電気泳動表示装置において、
前記第１基板上の電極及び前記第２基板上の電極が同数の複数の電極からなり、前記第１基板上の複数の電極の夫々と、前記第２基板上の複数の電極の夫々とが、互いに対向して設けられていること、を特徴とする電気泳動表示装置。
【請求項２】  前記第１基板上及び前記第２基板上に面積の異なる２電極ずつが夫々対向して設けられ、前記第１基板上の２電極の面積比及び前記第２基板上の２電極の面積比がともに１／４以下である請求項１に記載の電気泳動表示装置。
【請求項３】  前記表示装置が同一色の表示を複数回行う場合において、直前の同一色の表示の際に前記電気泳動粒子が引き寄せられていた電極に対向する電極に、前記第２基板の外側表面に投影した前記電気泳動粒子の数密度分布が前記直前の同一色の表示と同一になるように前記電気泳動粒子を引き寄せる電圧が、前記電極群に印加される請求項１に記載の電気泳動表示装置。
【手続補正３】
【補正対象書類名】明細書
【補正対象項目名】００２９
【補正方法】変更
【補正の内容】
【００２９】
【課題を解決するための手段】
上記課題を解決するための請求項１に記載の発明は、互いに対向配置する一対の基板である第１基板及び第２基板と、透明絶縁性液体と複数の電気泳動粒子とを含み前記一対の基板間に挟持される分散系と、前記第１基板及び第２基板の上に設けられ、電圧を印加して前記分散系中に電界を形成するための電極群と、を少なくとも備えた電気泳動表示装置において、前記第１基板上の電極及び前記第２基板上の電極が同数の複数の電極からなり、前記第１基板上の複数の電極の夫々と、前記第２基板上の複数の電極の夫々とが、互いに対向して設けられていること、を特徴とする。
【手続補正４】
【補正対象書類名】明細書
【補正対象項目名】００３０
【補正方法】変更
【補正の内容】
【００３０】
請求項２に記載の発明は、請求項１に記載の電気泳動表示装置において、前記第１基板上及び前記第２基板上に面積の異なる２電極ずつが夫々対向して設けられ、前記第１基板上の２電極の面積比及び前記第２基板上の２電極の面積比がともに１／４以下であること、を好ましい態様として含むものである。
【手続補正５】
【補正対象書類名】明細書
【補正対象項目名】００３１
【補正方法】変更
【補正の内容】
【００３１】
請求項３に記載の発明は、請求項１に記載の電気泳動表示装置において、前記表示装置が同一色の表示を複数回行う場合において、直前の同一色の表示の際に前記電気泳動粒子が引き寄せられていた電極に対向する電極に、前記第２基板の外側表面に投影した前記電気泳動粒子の数密度分布が前記直前の同一色の表示と同一になるように前記電気泳動粒子を引き寄せる電圧が、前記電極群に印加されること、を好ましい態様として含むものである。
【手続補正６】
【補正対象書類名】明細書
【補正対象項目名】００３２
【補正方法】削除
【補正の内容】
【手続補正７】
【補正対象書類名】明細書
【補正対象項目名】００３３
【補正方法】削除
【補正の内容】
【手続補正８】
【補正対象書類名】明細書
【補正対象項目名】００３４
【補正方法】削除
【補正の内容】
【手続補正９】
【補正対象書類名】明細書
【補正対象項目名】００３５
【補正方法】削除
【補正の内容】
【手続補正１０】
【補正対象書類名】明細書
【補正対象項目名】００３６
【補正方法】削除
【補正の内容】
【手続補正１１】
【補正対象書類名】明細書
【補正対象項目名】００３７
【補正方法】削除
【補正の内容】
【手続補正１２】
【補正対象書類名】明細書
【補正対象項目名】００３８
【補正方法】削除
【補正の内容】
【手続補正１３】
【補正対象書類名】明細書
【補正対象項目名】００３９
【補正方法】削除
【補正の内容】
【手続補正１４】
【補正対象書類名】明細書
【補正対象項目名】００４０
【補正方法】削除
【補正の内容】
【手続補正１５】
【補正対象書類名】明細書
【補正対象項目名】００４１
【補正方法】削除
【補正の内容】
【手続補正１６】
【補正対象書類名】明細書
【補正対象項目名】００４２
【補正方法】削除
【補正の内容】
【手続補正１７】
【補正対象書類名】明細書
【補正対象項目名】００４３
【補正方法】削除
【補正の内容】
【手続補正１８】
【補正対象書類名】明細書
【補正対象項目名】００４４
【補正方法】削除
【補正の内容】
【手続補正１９】
【補正対象書類名】明細書
【補正対象項目名】００４５
【補正方法】削除
【補正の内容】
【手続補正２０】
【補正対象書類名】明細書
【補正対象項目名】００４６
【補正方法】削除
【補正の内容】
【手続補正２１】
【補正対象書類名】明細書
【補正対象項目名】００４７
【補正方法】削除
【補正の内容】
【手続補正２２】
【補正対象書類名】明細書
【補正対象項目名】００４８
【補正方法】削除
【補正の内容】
【手続補正２３】
【補正対象書類名】明細書
【補正対象項目名】００４９
【補正方法】削除
【補正の内容】
【手続補正２４】
【補正対象書類名】明細書
【補正対象項目名】００５０
【補正方法】削除
【補正の内容】
【手続補正２５】
【補正対象書類名】明細書
【補正対象項目名】００５１
【補正方法】削除
【補正の内容】
【手続補正２６】
【補正対象書類名】明細書
【補正対象項目名】００５２
【補正方法】削除
【補正の内容】
【手続補正２７】
【補正対象書類名】明細書
【補正対象項目名】００５３
【補正方法】削除
【補正の内容】
【手続補正２８】
【補正対象書類名】明細書
【補正対象項目名】００５４
【補正方法】削除
【補正の内容】
【手続補正２９】
【補正対象書類名】明細書
【補正対象項目名】００５５
【補正方法】削除
【補正の内容】
【手続補正３０】
【補正対象書類名】明細書
【補正対象項目名】００５６
【補正方法】削除
【補正の内容】
【手続補正３１】
【補正対象書類名】明細書
【補正対象項目名】００５７
【補正方法】削除
【補正の内容】
【手続補正３２】
【補正対象書類名】明細書
【補正対象項目名】００５８
【補正方法】削除
【補正の内容】
【手続補正３３】
【補正対象書類名】明細書
【補正対象項目名】００５９
【補正方法】削除
【補正の内容】
【手続補正３４】
【補正対象書類名】明細書
【補正対象項目名】００６０
【補正方法】削除
【補正の内容】
【手続補正３５】
【補正対象書類名】明細書
【補正対象項目名】００６１
【補正方法】削除
【補正の内容】
【手続補正３６】
【補正対象書類名】明細書
【補正対象項目名】００６２
【補正方法】削除
【補正の内容】
【手続補正３７】
【補正対象書類名】明細書
【補正対象項目名】００６３
【補正方法】削除
【補正の内容】
【手続補正３８】
【補正対象書類名】明細書
【補正対象項目名】０２１３
【補正方法】変更
【補正の内容】
【０２１３】
次にブルーセルを作製し、レッドセルと同様に表示を行なった。ブルーセルに関しては、ＰＥＴフィルムからなる第１基板５上に、ブルーの顔料を分散させたアクリル樹脂からなる着色層１２を形成し、その後のプロセスは、レッドセルと同様にして製造することができた。また、レッドセルと同様にブルー表示における階調表示を行なうこともできた。